(57)【要約】【課題】高電圧印加される放電電極が放射ノイズ発生源となるのを防いで周辺機器への悪影響を防止する。さらに外部ノイズによる本放電装置の誤動作の発生も防止する。【解決手段】放電電極２を配置する霧化室３と、該放電電極２の表面に水を供給する水供給手段と、該放電電極２への高電圧の印加によって放電電極２の先端部２ａから帯電微粒子水Ｍを霧化生成する高電圧印加部５とを備え、少なくとも上記霧化室３の周囲をＧＮＤに接続されたノイズ低減用のケース７で被覆した放電装置１である。【選択図】図１
2011067771.tif 000002
【特許請求の範囲】
【請求項１】
放電電極を配置する霧化室と、該放電電極の表面に水を供給する水供給手段と、該放電電極への高電圧の印加によって放電電極の先端部から帯電微粒子水を霧化生成する高電圧印加部とを備え、該帯電微粒子水を霧化室外部へ放出するようにした放電装置であって、少なくとも上記放電電極を配置する霧化室の周囲をＧＮＤに接続されたノイズ低減用のケースで被覆してなることを特徴とする放電装置。
【発明の詳細な説明】
【技術分野】
【０００１】
本発明は、放電装置に関し、詳しくは放電電極への高電圧印加によって外部周辺の電子機器に対して悪影響を及ぼすことを防止しようとする放電装置に関するものである。
【背景技術】
【０００２】
近年、水を霧化させてナノメータサイズの帯電微粒子水（ナノサイズミスト）を発生させる放電装置が注目されている（例えば、特許文献１参照）。
【０００３】
この種の放電装置は、放電部である針状の電極先端部から液体（水）を霧化させるために高電圧発生回路をはじめ、制御回路などの各種回路を有している。
【０００４】
また、近年は、当該水の供給の手間を省くため、空気を冷却することによって、結露水を生成し、結露水に高電圧を印加することで霧化を行う構成が提案されているが、霧化する際の放電によりノイズが装置周辺に放射されており、このノイズの影響により周辺機器の誤動作が懸念されていた。
【先行技術文献】
【特許文献】
【０００５】
【特許文献１】特開２００６−１２２７９５号公報
【発明の概要】
【発明が解決しようとする課題】
【０００６】
本発明は上記の事情に鑑みてなされたものであって、その目的とするところは、高電圧印加される放電電極が放射ノイズ発生源となるのを防いで周辺機器への悪影響を防止でき、さらに外部からの静電気や電磁波などのノイズによる本放電装置の誤動作の発生も防止できるようにした放電装置を提供することにある。
【課題を解決するための手段】
【０００７】
前記の課題を解決するために、本発明は、放電電極２を配置する霧化室３と、該放電電極２の表面に水を供給する水供給手段と、該放電電極２への高電圧の印加によって放電電極２の先端部２ａから帯電微粒子水Ｍを霧化生成する高電圧印加部５とを備え、該帯電微粒子水Ｍを霧化室３外部へ放出するようにした放電装置であって、少なくとも上記放電電極２を配置する霧化室３の周囲をＧＮＤに接続されたノイズ低減用のケース７で被覆してなることを特徴としている。
【０００８】
このような構成とすることで、ＧＮＤに接続されたノイズ低減用のケース７により、高電圧印加される放電電極２が放射ノイズ発生源となるのを防いで、外部周辺の精密機器やコンピュータ等の誤動作を引き起こす問題をなくすことができる。またケース７は外部からの静電気や電磁波などのノイズをシールドする機能も併せ持つようになり、本放電装置の誤動作も防止できるようになる。
【発明の効果】
【０００９】
本発明は、少なくとも放電電極を配置する霧化室周囲をＧＮＤに接続されたノイズ低減用のケースで被覆したことにより、放電電極が放射ノイズ発生源となるのを防いで放電部による放射エミッションの問題を防止できる効果と、さらに本放電装置自体の外部ノイズによる悪影響も防止できる効果が得られるものである。
【図面の簡単な説明】
【００１０】
【図１】本発明の一実施形態の放電装置の概略構成図である。
【図２】同上の放電装置の放電電極付近の側面断面図である。
【発明を実施するための形態】
【００１１】
以下、本発明を添付図面に示す実施形態に基いて説明する。
【００１２】
図１は本発明の実施形態の一例として、ナノメータサイズの帯電微粒子水Ｍ（ナノサイズミスト）を発生させるための放電装置１を示している。
【００１３】
本放電装置１は、図２に示すように、放電電極２と、空気中の水分を放電電極２表面に結露させる冷却部４ｂと、当該冷却に当たって生じた熱を放熱する放熱部４ｃとを有する結露水発生手段４と、放電電極２への高電圧の印加によって結露水を放電電極２の先端部２ａから霧化生成する高電圧印加部５と、結露水発生手段４に冷却指令を与える冷却指令部と高電圧印加部５を通電制御する制御回路１０（図１参照）とを備えた放電ユニット１１と、放電ユニット１１全体を収納するケース７とで構成されている。
【００１４】
放電電極２の先端部２ａは、針状或いは線状に尖った形状になっており、この先端部２ａが放電部となる。
【００１５】
結露水発生手段４は、図２に示す例では、ペルチェ素子４ａで構成されているとともに、冷却部４ｂ側に放電電極２が熱的に接続されており、放熱部４ｃ側に放熱フィン９が接続されている。
【００１６】
さらに放熱フィン９に冷却風を送るモータファン（図示せず）を備えていると共に、このモータファンから送られる風は、ケース７の先端開口である放出口６から吐出される。なお図２中の２０は放電電極２を外囲する絶縁材料からなる開口枠、２１は放電電極２と対向配置されるリング状の対向電極である。なお、対向電極２１は省略可能である。
【００１７】
本放電ユニット１１は、冷却部４ｂで放電電極２を冷却することで空気中の水分を結露させて放電電極２上に結露水を生成するものであり、従って、冷却部４ｂが放電電極２に水分を供給する水供給手段を構成している。そして、結露水が放電電極２に付着している状態において、放電電極２と対向電極２１との間に高電圧を印加することにより、放電電極２の先端部２ａに付着した結露水が霧化する。つまり、結露水は放電電極２の先端部２ａに集まると共に放電によってレイリ一分裂を繰り返してナノサイズの帯電微粒子水Ｍとなり、上記のモータファンによる風に乗って前記放出口６から外部に吐出される。そして、冷却部４ｂの冷却度調整による結露水生成量の調整を行う制御回路１０によって、放電電極２上に適量の結露水を常に確保して、ナノサイズの帯電微粒子水Ｍの発生を温度や湿度に影響されることなく確実に行うものとなっている。
【００１８】
この種のナノサイズの帯電微粒子水Ｍは、スーパーオキサイドラジカルやヒドロキシラジカルといったラジカルが含まれていることから、脱臭効果に加えてウイルス・カビ菌の抑制効果、アレルゲン物質不活化効果等も備えており、これを室内に送り出せば、室内の空気中の臭い成分だけでなく、壁面やシート等に付着した臭い成分の脱臭も行うことができる上に、シートやフロアカーペット、クッション等に付着したダニの屍骸や、ドアの開閉に伴って室内に持ち込まれた花粉等のアレルゲンも抑制できる効果がある。
【００１９】
ここで、本放電装置１のケース７は、図１に示すように、一端が開口された筒状に形成され、開口部に帯電微粒子水Ｍを放出する放出口６が一体に取り付けられている。ケース７内には、放出口６に近い側に放電電極２を配置する霧化室３が設けられ、その奥に結露水発生手段４と、制御回路１０とがそれぞれ収納されている。
【００２０】
このケース７は、放電電極２が放射ノイズの発生源となるのを防止するノイズ低減用として用いられ、全体が金属ケースからなり、その内面に樹脂などの電気絶縁部１５を被覆して構成されている。なお、金属ケースに代えて、電気絶縁部１５の外面に金属メッキで被覆したものであってもよい。ケース７の金属部分はアース線８を介してＧＮＤに接続されている。なお、ケース７内面全体を電気絶縁部１５としてもよいが、少なくとも放電電極２を囲む霧化室３の内面部分が電気絶縁部１５で形成されていればよい。
【００２１】
さらに、霧化室３の開口側に連らなる放出口６は、筒状の樹脂成形品１６で構成されており、放出口６内面に対して帯電微粒子水Ｍが付着するのを防止している。本例の樹脂成形品１６は、ケース７とは別体で構成されている。なお、ケース７と放出口６とを一体形成して、ケース７の内面から放出口６内面に跨って電気絶縁処理を施すことも可能である。
【００２２】
しかして、上記構成の放電電極２への高電圧印加によって、放電電極２から放射されるノイズは、霧化室３を囲むケース７に接続されたアース線８を伝ってＧＮＤにアースされるので、放電電極２が放射ノイズ発生源となるのを防止できる構造となり、これにより、外部周辺の精密機器やコンピュータ等の誤動作を引き起こすなどの悪影響を与える心配がなくなる。
【００２３】
しかも、ケース７内面のうち少なくとも霧化室３を囲む部分が電気絶縁部となっているので、放電電極２とケース７との間で放電が生じることもなく、帯電微粒子水Ｍの生成効率を高めることができる。
【００２４】
また、外部からの静電気や電磁波などのノイズはケース７によってシールドされるので、ケース７内部に収納されている放電ユニット１１自体の外部ノイズによる誤動作の発生も同時に防止できる利点がある。
【００２５】
また、放電装置１のケース７自体に放射ノイズ低減機能を持たせたことにより、放電装置１の構造が簡易で済む利点がある。
【００２６】
さらに本例では、帯電微粒子水Ｍが放出される放出口６を樹脂成形品で構成したので、放出口６内面が電気絶縁部となって帯電微粒子水Ｍの付着を防止でき、帯電微粒子水Ｍの放出効率を高めることができる利点もある。
【００２７】
なお前記実施形態では、放電電極２に水を供給する水供給手段として、結露水発生手段４を例示したが、液溜め部からの水を放電電極を構成する棒状搬送部の先端に吸い上げて供給する構成であってもよい。
【符号の説明】
【００２８】
１  放電装置
２  放電電極
２ａ  先端部
３  霧化室
５  高電圧印加部
６  放出口
７  ケース
Ｍ  帯電微粒子水
【図１】
2011067771.tif 000003
【図２】
2011067771.tif 000004